(57)【要約】【課題】画像データに誤りが混入していた場合でも画像の再生を良好に行えるデジタル記録再生装置を提供する。【解決手段】コンテンツデータ中のＰＥＳパケットがエラーを含むか否かを検出し、その検出結果を表すエラーフラグを含むインデックスデータを作成する。コンテンツデータの再生の際にこのインデックスデータを参照することで、エラーを含むＰＥＳパケットを再生しないことが可能となる。また、インデックスデータにＰＥＳパケットがピクチャ内符号化データを含むか否かを表すＩフレームフラグ、ＰＥＳパケットのコンテンツデータ中での相対位置を表すオフセットを含ませることで、Ｉフレームのみを再生し、早送り、早戻し等の特殊再生を効率的に行うことができる。【選択図】      図１
2005026990.tif 000002
【特許請求の範囲】
【請求項１】
コンテンツデータに含まれ、かつピクチャ内符号化およびピクチャ間符号化されたデジタル画像データをパケット化したＰＥＳパケットが、ピクチャ内符号化データを含むか否かを検出するＩフレーム検出部と、
前記ＰＥＳパケットがエラーを含むか否かを検出するエラー検出部と、
前記ＰＥＳパケットのコンテンツデータ中での相対位置を検出する相対位置検出部と、
前記Ｉフレーム検出部による検出結果を表すＩフレームフラグ、前記エラー検出部によるエラー検出結果を表すエラーフラグ、および前記相対位置検出部による検出結果を表すオフセット、を含むインデックスデータを作成するインデックス作成部と、
を具備することを特徴とするデジタル記録再生装置。
【請求項２】
前記エラー検出部が、前記ピクチャ内符号化データがエラーを含むか否かを検出する
ことを特徴とする請求項１記載のデジタル記録再生装置。
【請求項３】
前記インデックス作成部によって作成されたインデックスデータを記録媒体に記録するインデックスデータ保存部、
をさらに具備することを特徴とする請求項１記載のデジタル記録再生装置。
【請求項４】
前記インデックス作成部によって作成されたインデックスデータに基づいて、コンテンツデータを再生するコンテンツデータ再生部を
さらに具備することを特徴とする請求項１記載のデジタル記録再生装置。
【請求項５】
前記コンテンツデータ再生部が、前記Ｉフレームフラグに基づいて、ピクチャ内符号化データを再生する
ことを特徴とする請求項４記載のデジタル記録再生装置。
【請求項６】
前記コンテンツデータ再生部が、前記エラーフラグに基づいて、エラーを含まないＰＥＳパケットを再生する
ことを特徴とする請求項４記載のデジタル記録再生装置。
【発明の詳細な説明】
【０００１】
【発明の属する技術分野】
本発明は、デジタル画像データを含むコンテンツデータを記録、再生するデジタル記録再生装置に関する。
【０００２】
【従来の技術】
ＭＰＥＧ（Ｍｏｖｉｎｇ  Ｐｉｃｔｕｒｅ  Ｅｘｐｅｒｔｓ  Ｇｒｏｕｐ）方式により圧縮された画像データを記録、再生するデジタル記録再生装置が用いられている。
ＭＰＥＧ方式では、Ｉフレーム（ピクチャ内符号化画像）、Ｐフレーム（ピクチャ間予測符号化画像）等を含むＧＯＰ（Ｇｒｏｕｐ  ｏｆ  Ｐｉｃｔｕｒｅ）によって複数の画像を表現している。Ｉフレームは、ＤＣＴ（Ｄｉｓｃｒｅｔｅ  Ｃｏｓｉｎｅ  Ｔｒａｎｓｆｏｒｍ：離散コサイン変換）量子化によって画像データを符号化したものである。Ｐフレームは、過去の画像データから予測したデータと現在の画像データとの差分を符号化したものである。ＧＯＰは、ＰＥＳ（Ｐａｃｋｅｔｉｚｅｄ  Ｅｌｅｍｅｎｔａｒｙ  Ｓｔｒｅａｍ）パケットに分割して、伝送、記録等がなされる。ＭＰＥＧ方式で圧縮された画像データを再生するには、Ｉフレームを復号化し、これを基礎としてＰフレーム等を復号化する。この結果、複数の画像データが時系列的に再生される。
なお、Ｉフレームを含むＰＥＳパケットを検出し、インデックスファイルを作成することで、早送り再生等をスムーズに行う技術が開示されている（特許文献１参照）。
【０００３】
【特許文献１】
特開２０００−２２４５４３
【０００４】
【発明が解決しようとする課題】
しかしながら、従来のデジタル記録再生装置では画像データに誤りが混入していた場合に、画像の再生が良好に行われない場合があった。特にＩフレームのデータに誤りが有るときには、画像の乱れが大きくなり易い。
本発明はこのような課題を解決するためになされたもので、画像データに誤りが混入していた場合でも画像の再生を良好に行えるデジタル記録再生装置を提供することを目的としている。
【０００５】
【課題を解決するための手段】
上記目的を達成するために本発明に係るデジタル記録再生装置は、コンテンツデータに含まれ、かつピクチャ内符号化およびピクチャ間符号化されたデジタル画像データをパケット化したＰＥＳパケットが、ピクチャ内符号化データを含むか否かを検出するＩフレーム検出部と、前記ＰＥＳパケットがエラーを含むか否かを検出するエラー検出部と、前記ＰＥＳパケットのコンテンツデータ中での相対位置を検出する相対位置検出部と、前記Ｉフレーム検出部による検出結果を表すＩフレームフラグ、前記エラー検出部によるエラー検出結果を表すエラーフラグ、および前記相対位置検出部による検出結果を表すオフセット、を含むインデックスデータを作成するインデックス作成部と、を具備することを特徴とする。
【０００６】
コンテンツデータ中のＰＥＳパケットがエラーを含むか否かを検出し、その検出結果を表すエラーフラグを含むインデックスデータが作成される。このため、コンテンツデータの再生の際にこのインデックスデータを参照することで、エラーを含むＰＥＳパケットを再生しないことが可能となる。また、インデックスデータはＰＥＳパケットがピクチャ内符号化データを含むか否かを表すＩフレームフラグ、ＰＥＳパケットのコンテンツデータ中での相対位置を表すオフセットを含む。このため、Ｉフレームのみを再生することで、早送り、早戻し等の特殊再生を効率的に行うことができる。
【０００７】
（１）ここで、前記エラー検出部が、前記ピクチャ内符号化データがエラーを含むか否かを検出してもよい。
ピクチャ内符号化データは画像再生の基礎となるデータなので、これがエラーを含む場合にピクチャ間符号化データ等よりも影響が大きい。このため、ピクチャ内符号化データのみをチェックしてＰＥＳパケットの良否を判断できる。
【０００８】
（２）デジタル記録再生装置が、前記インデックス作成部によって作成されたインデックスデータを記録媒体に記録するインデックスデータ保存部、をさらに具備してもよい。
インデックスデータを記録媒体等に記録しておくことで、コンテンツデータの再生を効率的に行える。
【０００９】
（３）デジタル記録再生装置が、前記インデックス作成部によって作成されたインデックスデータに基づいて、コンテンツデータを再生するコンテンツデータ再生部をさらに具備してもよい。
インデックスデータを用いたコンテンツデータの再生が効率的に行える。
【００１０】
ここで、前記コンテンツデータ再生部が、前記Ｉフレームフラグに基づいて、ピクチャ内符号化データを再生してもよい。
ピクチャ内符号化データのみを再生することで（ピクチャ間符号化データ等を再生から除外）、早送り、早戻し等の特殊再生を効率的に行える。
【００１１】
前記コンテンツデータ再生部が、前記エラーフラグに基づいて、エラーを含まないＰＥＳパケットを再生してもよい。
エラーを含むＰＥＳパケットを再生から除外することで、画像の良好な再生が可能となる。
【００１２】
【発明の実施の形態】
以下、本発明の実施の形態について説明する。
図１は、本発明の実施の形態に係るデジタル記録再生装置１０を示すブロック図である。図１に示すように、デジタル記録再生装置１０は、記録媒体２０、記録装置３０、再生装置４０を備え、画像データおよび音声データを含むコンテンツデータの記録、再生を行う。
【００１３】
記録媒体２０は、ハードディスク、ＤＶＤ（Ｄｉｇｉｔａｌ  Ｖｅｒｓａｔｉｌｅ  Ｄｉｓｃ）等の記録媒体一般を意味し、コンテンツファイル保存領域２１、及びインデックスファイル保存領域２２を有する。
コンテンツファイル保存領域２１は、オーディオ（音声）及びビデオ（画像）のＰＥＳパケットを含むコンテンツファイルを保存する記録媒体２０上の領域である。インデックスファイル保存領域２２は、コンテンツファイル保存領域２１に保存されたコンテンツファイルに対応するインデックスファイルを保存する記録媒体２０上の領域である。
【００１４】
記録装置３０は、記録媒体２０のコンテンツファイル保存領域２１にオーディオ及びビデオのＰＥＳパケットを含むコンテンツファイルを、インデックスファイル保存領域２２にインデックスファイルをそれぞれ保存する。
記録装置３０は、受信部３０１、選択部３０２，復調・誤り訂正検出部３０３、デマルチプレクサ３０４、コンテンツファイル保存部３０５、ＰＥＳヘッダ検出部３０６、アドレスカウンタ３０７、Ｉフレーム検出部３０８、Ｉフレーム誤り検出部３０９、インデックスファイル作成部３１０、及びインデックスファイル保存部３１１を備える。
【００１５】
受信部３０１は、受信アンテナを有し、放送局より多重送信された送信信号を受信する。
選択部３０２には、視聴者が選択した番組チャネルのサービスＩＤ（番組Ｎｏ）が設定され、受信部３０１によって受信された放送信号から、そのサービスＩＤに対応した映像／音声のビットストリームを復調・誤り訂正検出部３０３に出力する。なお、サービスＩＤは図示しない入力装置（例えば、押しボタン、リモコン）により入力される。
【００１６】
復調・誤り訂正検出部３０３は、選択部３０２から入力されたビットストリームの復調及び誤り訂正を行い、ＭＰＥＧシステムで規定されているトランスポートストリーム（ＴＳ）パケットに変換し、これをデマルチプレクサ３０４に出力する。
デマルチプレクサ３０４は、復調・誤り訂正検出部３０３から入力されたＴＳパケットより、１プログラムのオーディオとビデオのＰＥＳパケットをデマルチプレクス（分離化）して、出力する。この出力先は、通常使用時には再生装置４０であり、記録時には再生装置４０およびコンテンツファイル保存部３０５（更に、ＰＥＳヘッダ検出部３０６、およびＩフレーム検出部３０８）である（映像を表示しながら記録できる）。
コンテンツファイル保存部３０５は、デマルチプレクサ３０４から入力されたオーディオとビデオのＰＥＳパケットをコンテンツファイルとしてコンテンツファイル保存領域２１に保存する。
【００１７】
ＰＥＳヘッダ検出部３０６は、デマルチプレクサ３０４から入力されたビデオＰＥＳパケットよりＰＥＳヘッダの検出を行い、このＰＥＳヘッダ内に含まれるビデオＰＥＳパケットの先頭アドレス、及びＰＴＳ（Ｐｒｅｓｅｎｔａｔｉｏｎ  Ｔｉｍｅ  Ｓｔａｍｐ）の情報をインデックスファイル作成部３１０に出力するものであり、相対位置検出部として機能する。ここで、ＰＴＳとは、再生出力の時刻管理情報である。
アドレスカウンタ３０７は、ＰＥＳヘッダ検出部３０６でＰＥＳヘッダを検出したときビデオＰＥＳパケットのデータ数を計測するものである。
【００１８】
Ｉフレーム検出部３０８は、デマルチプレクサ３０４から入力されたビデオＰＥＳパケットからＩフレーム（ピクチャ内符号化データ）の検出を行い、その検出結果を表すＩフレームフラグをＩフレーム検出部３０８経由でインデックスファイル作成部３１０に出力する。Ｉフレーム検出部３０８は、ビデオＰＥＳパケットに「ＣＩ」および「Ｉ−ＶＯＰ」が含まれる場合にＩフレームが検出されたと判定する。
【００１９】
Ｉフレーム誤り検出部３０９は、Ｉフレーム検出部３０８から入力されたビデオＰＥＳパケットからＩフレームの誤り検出を行うものであり、エラー検出部として機能する。そして、検出結果たるエラーフラグを、Ｉフレーム検出部３０８から入力されたＩフレームフラグと共に、インデックスファイル作成部３１０に出力する。
既述のように、復調・誤り訂正検出部３０３からは誤り訂正が行われたＴＳパケットが出力されるが、ＴＳパケット中に誤りを訂正しきれなかったＰＥＳパケット（特に、Ｉフレーム）が残る場合がある。このため、Ｉフレーム誤り検出部３０９がＰＥＳパケットの所定の項目をチェックすることで誤り検出を行う。
【００２０】
図２は、ＰＥＳパケットのデータ内容を表す模式図である。ここで、図２の（１）の「ＰＥＳ＿ｉｎｆｏ＿ｎ」は、ｎ番目（ｎ＝１〜Ｎ）のＩフレームを含むビデオのＥＳ（Ｅｌｅｍｅｎｔａｒｙ  Ｓｔｒｅａｍ）に含まれるパラメータを示す。（２）は「ＰＥＳ＿ｉｎｆｏ＿１」の細部、（３）は「ＰＥＳ＿ｉｎｆｏ＿１」中の「ＰＥＳ＿ｉｎｆｏ」の細部、（４）は「ＰＥＳ＿ｉｎｆｏ＿１」中の「Ｉ＿ｐｉｃｔｕｒｅ＿ｉｎｆｏ」の細部をそれぞれ表す。
Ｉフレーム誤り検出部３０９は、図２（１）の「ＰＥＳ＿ｉｎｆｏ＿１」で示す各パラメータの妥当性、（３）の「ＰＴＳ＿ｉｎｆｏ」で示すＰＴＳの値が正しいかのチェックを行なう。その結果、正しくないと判定されたＩフレームに対応するエラーフラグを出力する。
【００２１】
インデックスファイル作成部３１０は、ＰＥＳヘッダ検出部３０６、及びＩフレーム誤り検出部３０９から入力された各情報を基に、ビデオＰＥＳパケット（コンテンツデータ）に対応するインデックスファイルを作成する。
インデックスファイル保存部３１１は、インデックスファイル作成部３１０で作成されたインデックスファイルをインデックスファイル保存領域２２に保存する。
【００２２】
図３は、インデックスファイル作成部３１０によって作成されたインデックスファイルの例を表す模式図である。インデックスファイルには、各ＰＥＳパケットに対応するように、Ｉフレームフラグ、エラーフラグ、オフセットが対応して順に記録される。
ここで、ＩフレームフラグはＩフレーム検出部３０８から出力され、ＰＥＳパケット中のＩフレームの有無を表す情報である。Ｉフレームがある（ＣＩ＋Ｉ−ＶＯＰが含まれる）場合に「１」、Ｉフレームがない（ＣＩ＋Ｉ−ＶＯＰが含まれない）場合に「０」となる。
エラーフラグは、Ｉフレーム誤り検出部３０９から出力され、各Ｉフレーム中のエラーの有無を表す情報である。エラーが含まれる場合に「１」、エラーが含まれない場合に「０」となる。
オフセットは、コンテンツファイルの先頭よりのＰＥＳパケットの位置をバイトで表す情報である。オフセットは、ＰＥＳヘッダ検出部３０６より出力されたＰＥＳパケットの先頭アドレスの情報に基づきインデックスファイル作成部３１０が作成する。
【００２３】
再生装置４０は、記録媒体２０のインデックスファイル保存領域２２に保存されたインデックスファイルに基づき、コンテンツファイル保存領域２１に保存されたコンテンツファイルを再生する。
再生装置４０は、ユーザインターフェイス制御部４０１、インデックスファイル読出部４０２、コンテンツファイル読出部４０３、再生モード制御部４０４、ＰＥＳパケットバッファ４０５、Ａ／Ｖデコーダ４０６、画像復号部４０７、モニタ４０８，音声復号部４０９、スピーカ４１０を備える。
【００２４】
ユーザインターフェイス制御部４０１は、ユーザにより入力された通常再生または特殊再生（早送り、早戻し等）の再生命令を再生モード制御部４０４に出力する。なお、再生命令の入力は図示しない入力装置（例えば、押しボタン、リモコン）を用いて行われる。
【００２５】
インデックスファイル読出部４０２は、再生モード制御部４０４からの指示によりインデックスファイル保存領域２２からインデックスファイルを読み出し、再生モード制御部４０４に出力する。
コンテンツファイル読出部４０３は、再生モード制御部４０４からの指示によりコンテンツファイル保存領域２１からオーディオとビデオのＰＥＳパケットを取り出し、ＰＥＳパケットバッファ４０５に出力する。
【００２６】
再生モード制御部４０４は、ユーザインターフェイス制御部４０１より通常再生命令が入力されると、ＰＥＳパケットバッファ４０５の空き容量に応じて、コンテンツファイル保存領域２１からのデータ転送をコンテンツファイル読出部４０３に指示する。
また、再生モード制御部４０４は、ユーザインターフェイス制御部４０１より特殊再生命令が入力されると、インデックスファイル読出部４０２から得たインデックスファイルに基づいて、コンテンツファイル保存領域２１からのデータ転送をコンテンツファイル読出部４０３に指示する。
【００２７】
ＰＥＳパケットバッファ４０５は、入力されたＰＥＳパケットデータを、Ａ／Ｖデコーダ４０６からの要求信号を受けてＡ／Ｖデコーダ４０６に出力する。ＰＥＳパケットデータの入力元は通常使用時および記録時にはデマルチプレクサ３０４であり、再生時にはコンテンツファイル読出部４０３である。
【００２８】
Ａ／Ｖデコーダ４０６は、入力されたオーディオとビデオのＰＥＳパケットデータをデコードし、ビデオデータは画像復号部４０７に、オーディオデータは音声復号部４０９にそれぞれ出力する。
画像復号部４０７は、Ａ／Ｖデコーダ４０６から受け取ったビデオデータをテレビ出力信号に変換し、モニタ４０８に出力する。
音声復号部４０９は、Ａ／Ｖデコーダ４０６から受け取ったオーディオデータをアナログ信号に変換し、スピーカ４１０に出力する。
【００２９】
（デジタル記録再生装置１０の動作）
次にデジタル記録再生装置１０の動作を説明する。
Ａ．通常使用時
まず、放送をそのまま視聴する場合につき説明する。
受信アンテナによって放送局より受信した放送信号は受信部３０１を経由して選択部３０２に出力される。選択部３０２は、放送信号から設定された番組チャネルのサービスＩＤに対応した映像／音声のビットストリームを選択する。
【００３０】
復調・誤り訂正検出部３０３は、選択部３０２から入力されたビットストリームの復調及び誤り訂正を行い、ＴＳパケットに変換する。デマルチプレクサ３０４は、ＴＳパケットから１プログラムのオーディオとビデオのＰＥＳパケットを分離、出力する。
オーディオとビデオのＰＥＳパケットは、ＰＥＳパケットバッファ４０５を経由して、Ａ／Ｖデコーダ４０６でデコードされ、ビデオデータは画像復号部４０７に、オーディオデータは音声復号部４０９にそれぞれ出力する。この結果、モニタ４０８，スピーカ４１０によって放送を視聴できる。
【００３１】
Ｂ．記録時
放送局から受信された画像データをコンテンツファイルとして記録媒体２０に記録する場合を考える。
この記録時における受信部３０１、選択部３０２、復調・誤り訂正検出部３０３の動作内容は通常使用時と同様である。即ち、受信された放送信号から番組チャネルのサービスＩＤに対応した映像／音声のビットストリームが選択される。
【００３２】
（１）コンテンツファイルの記録
デマルチプレクサ３０４は、オーディオとビデオのＰＥＳパケットを分離、出力することは通常使用時と変わりないが、その出力先にコンテンツファイル保存部３０５が加わる。その結果、ＰＥＳパケットを含むコンテンツファイルがコンテンツファイル保存領域２１に記録される。
なお、ＰＥＳパケットはＰＥＳパケットバッファ４０５にも出力されるので、通常使用時と同様にモニタ４０８，スピーカ４１０によって放送を視聴できる。
【００３３】
（２）インデックスファイルの作成・記録
コンテンツファイルの記録と並行して、インデックスファイル作成部３１０、及びインデックスファイル保存部３１１によるインデックスファイルの作成、記録が行われる。
インデックスファイルの作成に先だって以下の処理が行われる。即ち、Ｉフレーム検出部がビデオＰＥＳパケットからＩフレームの検出を行い、Ｉフレームフラグを出力する。また、Ｉフレーム誤り検出部３０９が検出されたＩフレーム中の誤りを検出し、エラーフラグを出力する。また、ＰＥＳヘッダ検出部が入力されたビデオＰＥＳパケットよりＰＥＳヘッダの検出を行い、このＰＥＳヘッダ内に含まれるビデオＰＥＳパケットの先頭アドレスを出力する。インデックスファイル作成部３１０は、この先頭アドレスをコンテンツファイルの先頭から換算したオフセットに換算する。
【００３４】
インデックスファイル作成部３１０は、これらＩフレームフラグ、エラーフラグ、オフセットからインデックスファイルを生成し、インデックスファイル保存部３１１がこのインデックスファイルをインデックスファイル保存領域２２に保存する。
【００３５】
Ｃ．再生時
記録媒体２０に記録されたコンテンツファイルを再生する場合を考える。
この場合、再生の速度（通常速度、早送り）、再生の方向（順方向、逆方向）がユーザインターフェイス制御部４０１から入力された再生命令により決定される。通常再生は通常速度での順方向再生であり、これ以外での再生は特殊再生となる。
【００３６】
これらの再生状態の指定に従って、インデックスファイル保存領域２２からのインデックスファイル読出部４０２によるインデックスファイルの読み出し、コンテンツファイル読出部４０３によるコンテンツファイル保存領域２１からのコンテンツデータの読み出しが並行して行われる。
【００３７】
（１）インデックスファイルの読み出し
再生命令に従い、再生モード制御部４０４がインデックスファイル読出部４０２によるインデックスファイルの読み出しの方向および読み出しの速度を制御する。
順再生の場合にはインデックスファイルが先頭から末尾の方向に、逆再生の場合にはインデックスファイルが末尾から先頭の方向に読み取られる。また、画像の再生を通常速度より大きい速度で行う場合には、これに応じてインデックスファイルの読み取りも高速で行われる。
但し、インデックスファイルの読み出しが、再生命令で表されるコンテンツファイルの再生方向、速度と必ずしも対応しなくてもよい。例えば、インデックスファイルの内容を一時的に保持するバッファを用いれば、再生命令の内容に依存することなくインデックスファイルの読み取りを行える。
【００３８】
（２）コンテンツファイルの読み出し、再生
読み出されたインデックスファイルに従って、再生モード制御部４０４がコンテンツファイル読出部４０３によるコンテンツデータの読み出しを制御する。インデックスファイルに従ってコンテンツファイルの読み出しが行われることで、再生される画像の乱れの防止や早送り再生の容易化が実現される。
【００３９】
エラーの無いＩフレームに基づく画像の再生を行う（エラーの有るＩフレームは用いない）ことで、再生画像の乱れを防止できる。例えば、図３に示したインデックスファイルで、番号１，２、４，５，１４，１６，１７の順に再生を行ない、その途中の番号のＰＥＳパケットは画像の再生に用いないことができる。
この例では、エラーの無い（エラーフラグ：０）Ｉフレーム（Ｉフレームフラグ：１）のみを再生に用いている。エラーの有るＩフレーム（エラーフラグ：１）を再生に用いないことで、不良な画像の再生を防止できる。なお、Ｉフレームが含まれないＰＥＳパケットを画像の再生に用いないのは、早送りを容易に行うためである。
通常誤ったＩフレームを再生すれば画像が壊れて表示されたり、最悪の場合は表示されず表示が途切れたりするが、誤ったＩフレームを再生しないので画像が壊れることなく、画像表示が途切れることなくコンテンツの早送りが実現可能となる。
【００４０】
早送りを行わないような場合に、エラーの無い（エラーフラグ：０）Ｉフレーム（Ｉフレームフラグ：１）のみでなく、その後に続くＰフレーム等を含むＰＥＳパケットを画像の再生に用いることも可能である。例えば、図３に示したインデックスファイルで、番号１〜９、１４〜１７の順に再生を行ない、エラーの無いＩフレームの間に存在するＩフレームを含まないＰＥＳパケット（Ｐフレーム等）を再生に利用できる。
【００４１】
また、Ｉフレームを間引いて再生することで再生の速度をより大きくすることが容易になる。
図４は、再生速度と「ＣＩ＋Ｉ−ＶＯＰ」データの抽出（Ｉフレームの間引き）との関係を表す模式図である。
図４の（１）の通常再生ではＩフレーム以外のＰフレーム等も含めて画像の再生を行い、時間に対して多数の画像を再生することで滑らかな動きでの動画の再生を可能としている。
これに対して、（２）の早送り１ではＩフレームに対応する「ＣＩ＋Ｉ−ＶＯＰ」を抽出することで早送り・早戻しを容易に実現している。さらに、（３）の早送り２ではＩフレームに対応する「ＣＩ＋Ｉ−ＶＯＰ」（Ｉフレーム）を間引いて抽出することで、より速度の速い早送り・早戻しを容易に実現している。
【００４２】
このようなＩフレームの間引きは、例えば、インデックスファイルの作成時にＩフレームフラグとして１を付与するＰＥＳファイルを削減することで行える。また、インデックスファイル上ではＩフレームを間引かず、再生時に再生に利用するＩフレームを間引くことで行っても差し支えない。
【００４３】
このようなＩフレームの間引きを行う場合にＩフレームに誤りが有れば、Ｉフレームが飛び越して再生される。
図５（Ａ）〜（Ｃ）は、早送りにおけるＩフレームの誤りと再生状態との関係を表す模式図である。図中「○」が誤りの無いＩフレームを「×」が誤りの有るＩフレームを表す。
図５の（Ａ）はＩフレームに誤りがない場合を表し、Ｉフレームを１個置きに間引いて再生している。（Ｂ）はＩフレームに誤りがある場合を表し、誤りの有るＩフレームを飛び越して再生している。（Ｃ）は誤りが有るＩフレームが複数続く場合であり、誤りの無いＩフレームに至るまで飛んで画像の再生を行っている。
図６（Ａ）〜（Ｃ）は、早戻しにおけるＩフレームの誤りと再生状態との関係を表す模式図である。「○」が誤りの無いＩフレームを「×」が誤りの有るＩフレームを表す。図５と同様に、誤りがあるＩフレームを飛び越し、誤りの無いＩフレームのみを用いて画像の再生を行っている。
【００４４】
【発明の効果】
以上説明したように、本発明によれば画像データに誤りが混入していた場合でも画像の再生を良好に行えるデジタル記録再生装置を提供することができる。
【図面の簡単な説明】
【図１】本発明の１実施形態に係るデジタル記録再生装置の構成を表すブロック図である。
【図２】ＰＥＳパケットのデータ内容を表す模式図である。
【図３】インデックスファイル作成部によって作成されたインデックスファイルの例を表す模式図である。
【図４】再生速度とＩフレームの間引きとの関係を表す模式図である。
【図５】早送りにおけるＩフレームの誤りと再生状態との関係を表す模式図である。
【図６】早戻しにおけるＩフレームの誤りと再生状態との関係を表す模式図である。
【符号の説明】
１０…デジタル記録再生装置、  ２０…記録媒体、  ２１…コンテンツファイル保存領域、  ２２…インデックスファイル保存領域、  ３０…記録装置、  ４０…再生装置、３０１…受信部、３０２…選択部、３０３…復調・誤り訂正検出部、３０４…デマルチプレクサ、３０５…コンテンツファイル保存部、３０６…ＰＥＳヘッダ検出部、３０７…アドレスカウンタ、３０８…Ｉフレーム検出部、３０９…Ｉフレーム誤り検出部、３１０…インデックスファイル作成部、３１１…インデックスファイル保存部、４０１…ユーザインターフェイス制御部、４０２…インデックスファイル読出部、４０３…コンテンツファイル読出部、４０４…再生モード制御部、４０５…ＰＥＳパケットバッファ、４０６…Ａ／Ｖデコーダ、４０７…画像復号部、４０８…モニタ、４０９…音声復号部、４１０…スピーカ
【図１】
2005026990.tif 000003
【図２】
2005026990.tif 000004
【図３】
2005026990.tif 000005
【図４】
2005026990.tif 000006
【図５】
2005026990.tif 000007
【図６】
2005026990.tif 000008